(57)【要約】  少なくとも腹側胴回り部（２０）は、上下方向において、吸収性本体（１０）より上側の上側部（ＡＵ）と、吸収性コア（１１Ａ）と前後方向において重なるコア側部（ＡＣ）を有し、複数の糸ゴム（２３）は、上側部（ＡＵ）に配置された上側糸ゴム（２３ｕ）と、コア側部（ＡＣ）に配置されたコア側糸ゴム（２３ｃ）を有するパンツ型吸収性物品（１）であって、上側部（ＡＵ）における上側糸ゴム（２３ｕ）同士のピッチの平均値は、コア側部（ＡＣ）におけるコア側糸ゴム（２３ｃ）同士のピッチの平均値よりも小さく、上側部（ＡＵ）を左右方向に単位長さだけ伸長させる力の大きさを上側部（ＡＵ）の上下方向の長さ（Ｈ１）で除した値が、コア側部（ＡＣ）を左右方向に単位長さだけ伸長させる力の大きさをコア側部（ＡＣ）の上下方向の長さ（Ｈ３）で除した値より小さい。
2019208480.tif 000002
【特許請求の範囲】
【請求項１】
上下方向、左右方向、及び前後方向を有し、
吸収性コアを備える吸収性本体及び一対の胴回り部を有し、
前記胴回り部は、肌側シート部、非肌側シート部、及び前記左右方向に伸縮可能な複数の糸ゴムを備え、
前記一対の胴回り部のうちの少なくとも腹側胴回り部は、前記上下方向において、前記吸収性本体より上側の上側部と、前記吸収性コアと前記前後方向において重なるコア側部を有し、
前記複数の糸ゴムは、前記上側部に前記上下方向に間欠に配置された複数の上側糸ゴムと、前記コア側部に前記上下方向に間欠に配置された複数のコア側糸ゴムを有するパンツ型吸収性物品であって、
前記上側部における前記上下方向に隣接する前記上側糸ゴム同士のピッチの平均値は、前記コア側部における前記上下方向に隣接する前記コア側糸ゴム同士のピッチの平均値よりも小さく、
前記上側部を前記左右方向に単位長さだけ伸長させる力の大きさを前記上側部の前記上下方向の長さで除した値が、前記コア側部を前記左右方向に単位長さだけ伸長させる力の大きさを前記コア側部の前記上下方向の長さで除した値より小さいことを特徴とするパンツ型吸収性物品。
【請求項２】
上下方向、左右方向、及び前後方向を有し、
吸収性コアを備える吸収性本体及び一対の胴回り部を有し、
前記胴回り部は、肌側シート部、非肌側シート部、及び前記左右方向に伸縮可能な複数の糸ゴムを備え、
前記一対の胴回り部のうちの少なくとも腹側胴回り部は、前記上下方向において、前記吸収性本体より上側の上側部と、前記吸収性コアと前記前後方向において重なるコア側部を有し、
前記複数の糸ゴムは、前記上側部に前記上下方向に間欠に配置された複数の上側糸ゴムと、前記コア側部に前記上下方向に間欠に配置された複数のコア側糸ゴムを有するパンツ型吸収性物品であって、
前記上側部における前記上下方向に隣接する前記上側糸ゴム同士のピッチの平均値は、前記コア側部における前記上下方向に隣接する前記コア側糸ゴム同士のピッチの平均値よりも小さく、
複数の前記上側糸ゴムの直径の平均値が、複数の前記コア側糸ゴムの直径の平均値より小さいことを特徴とするパンツ型吸収性物品。
【請求項３】
請求項１又は２に記載のパンツ型吸収性物品であって、
複数の前記上側糸ゴムは、前記左右方向において、前記腹側胴回り部の一端部から他端部まで連続して設けられていることを特徴とするパンツ型吸収性物品。
【請求項４】
請求項１から３のいずれか１項に記載のパンツ型吸収性物品であって、
前記左右方向における前記腹側胴回り部の中央部であって、前記上下方向における前記腹側胴回り部の上端部にはカット部が設けられていないことを特徴とするパンツ型吸収性物品。
【請求項５】
請求項１から４のいずれか１項に記載のパンツ型吸収性物品であって、
前記腹側胴回り部は、前記前後方向において前記吸収性本体と重なり、且つ、前記上下方向において前記吸収性コアより上側の中間部を有し、
前記複数の糸ゴムは、前記中間部に配置された中間糸ゴムを有していることを特徴とするパンツ型吸収性物品。
【請求項６】
請求項５に記載のパンツ型吸収性物品であって、
前記上側部を前記左右方向に単位長さだけ伸長させる力の大きさを前記上側部の前記上下方向の長さで除した値が、前記中間部を前記左右方向に単位長さだけ伸長させる力の大きさを前記中間部の前記上下方向の長さで除した値より小さいことを特徴とするパンツ型吸収性物品。
【請求項７】
請求項５又は６に記載のパンツ型吸収性物品であって、
前記コア側部を前記左右方向に単位長さだけ伸長させる力の大きさを前記上側部の前記上下方向の長さで除した値が、前記中間部を前記左右方向に単位長さだけ伸長させる力の大きさを前記中間部の前記上下方向の長さで除した値より小さいことを特徴とするパンツ型吸収性物品。
【請求項８】
請求項１から７のいずれか１項に記載のパンツ型吸収性物品であって、
前記非肌側シート部の上側端部が肌側に折り返された上側シート部を有し、
前記上側シート部の下端が、前記吸収性本体の上端よりも下側に位置することを特徴とするパンツ型吸収性物品。
【請求項９】
請求項１から８のいずれか１項に記載のパンツ型吸収性物品であって、
前記上側部は、前記肌側シート部より肌側に、上側シート部を有し、
前記前後方向において、
前記上側糸ゴムは、前記肌側シート部より肌側、且つ、前記上側シート部より非肌側に配置され、
前記コア側糸ゴムは、前記肌側シート部より非肌側、且つ、前記非肌側シート部より肌側に配置されていることを特徴とするパンツ型吸収性物品。
【請求項１０】
請求項９に記載のパンツ型吸収性物品であって、
前記上側部は、前記肌側シート部と前記非肌側シート部を接合する接合部を有することを特徴とするパンツ型吸収性物品。
【請求項１１】
請求項１から１０のいずれか１項に記載のパンツ型吸収性物品であって、
前記腹側胴回り部は、前記肌側シート部と前記非肌側シート部を接合する接合部を有し、
前記接合部は、前記上下方向に沿った形状であり、
複数の前記接合部が、前記左右方向に間欠に配置されていることを特徴とするパンツ型吸収性物品。
【請求項１２】
請求項１から１１のいずれか１項に記載のパンツ型吸収性物品であって、
前記一対の胴回り部のうちの背側胴回り部は、前記上下方向において、前記上側部と重なる背側上側部と、前記コア側部と重なる背側コア側部を有し、
前記複数の糸ゴムは、前記背側上側部に前記上下方向に間欠に配置された複数の背側上側糸ゴムと、前記背側コア側部に前記上下方向に間欠に配置された複数の背側コア側糸ゴムを有し、
前記背側上側部を前記左右方向に単位長さだけ伸長させる力の大きさを前記背側上側部の前記上下方向の長さで除した値が、前記背側コア側部を前記左右方向に単位長さだけ伸長させる力の大きさを前記背側コア側部の前記上下方向の長さで除した値より大きいことを特徴とするパンツ型吸収性物品。
【請求項１３】
請求項１２に記載のパンツ型吸収性物品であって、
前記背側上側部における前記上下方向に隣接する前記背側上側糸ゴム同士のピッチの平均値は、前記背側コア側部における前記上下方向に隣接する前記背側コア側糸ゴム同士のピッチの平均値よりも小さいことを特徴とするパンツ型吸収性物品。
【請求項１４】
請求項１から１３のいずれか１項に記載のパンツ型吸収性物品であって、
前記一対の胴回り部のうちの背側胴回り部は、前記上下方向において、前記上側部と重なる背側上側部と、前記コア側部と重なる背側コア側部を有し、
前記複数の糸ゴムは、前記背側上側部に前記上下方向に間欠に配置された複数の背側上側糸ゴムと、前記背側コア側部に前記上下方向に間欠に配置された複数の背側コア側糸ゴムを有し、
前記上側部における前記上下方向に隣接する前記上側糸ゴム同士のピッチの平均値は、前記背側上側部における前記上下方向に隣接する前記背側上側糸ゴム同士のピッチの平均値以下であり、
前記上側部を前記左右方向に単位長さだけ伸長させる力の大きさが、前記背側上側部を前記左右方向に単位長さだけ伸長させる力の大きさ以下であることを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。例えば、特許文献１には、腹側シート部材２、背側シート部材３、及び吸収性コア５を有するパンツ型の使い捨ておむつ１が開示されている。腹側シート部材２と背側シート部材３は、それぞれ幅方向に伸長可能な糸状の弾性部材７を備え、吸収性コア５の上端部５Ｗよりも上側にウエスト弾性部材７Ｗを配置しておむつのズレ落ちを防止している。
【先行技術文献】
【特許文献】
【０００３】
【特許文献１】特開２０１３−１３６８３号公報
【発明の概要】
【発明が解決しようとする課題】
【０００４】
しかし、腹部に丸みを帯びた体型の乳幼児が特許文献１のパンツ型の使い捨ておむつ１を着用すると、ウエスト弾性部材７Ｗが乳幼児の腹部を過度に締め付けてしまう恐れがあった。【０００５】
本発明は、上記のような従来の問題に鑑みてなされたものであって、その目的は、着用者の腹部に柔らかくフィットさせるパンツ型吸収性物品を提供することにある。
【課題を解決するための手段】
【０００６】
上記目的を達成するための主たる発明は、上下方向、左右方向、及び前後方向を有し、吸収性コアを備える吸収性本体及び一対の胴回り部を有し、前記胴回り部は、肌側シート部、非肌側シート部、及び前記左右方向に伸縮可能な複数の糸ゴムを備え、前記一対の胴回り部のうちの少なくとも腹側胴回り部は、前記上下方向において、前記吸収性本体より上側の上側部と、前記吸収性コアと前記前後方向において重なるコア側部を有し、前記複数の糸ゴムは、前記上側部に前記上下方向に間欠に配置された複数の上側糸ゴムと、前記コア側部に前記上下方向に間欠に配置された複数のコア側糸ゴムを有するパンツ型吸収性物品であって、前記上側部における前記上下方向に隣接する前記上側糸ゴム同士のピッチの平均値は、前記コア側部における前記上下方向に隣接する前記コア側糸ゴム同士のピッチの平均値よりも小さく、前記上側部を前記左右方向に単位長さだけ伸長させる力の大きさを前記上側部の前記上下方向の長さで除した値が、前記コア側部を前記左右方向に単位長さだけ伸長させる力の大きさを前記コア側部の前記上下方向の長さで除した値より小さいことを特徴とするパンツ型吸収性物品である。
本発明の他の特徴については、本明細書及び添付図面の記載により明らかにする。
【発明の効果】
【０００７】
本発明によれば、上側部は、コア部側よりも糸ゴム同士のピッチを小さくすることで、着用者の肌に面で接触させやすくする一方で、コア部側よりも収縮力の小さい上側部の糸ゴムによって着用者の肌に糸ゴムの跡が付いたりする恐れを軽減させやすくなる。
【図面の簡単な説明】
【０００８】
【図１】図１は、パンツ型使い捨ておむつ１（以下「おむつ」）の斜視図である。
【図２】図２は、展開状態且つ伸長状態のおむつ１を肌側面側から見た概略平面図である。
【図３】図３は、図２中の腹側胴回り部２０の拡大図である。
【図４】図４は、図２中の背側胴回り部３０の拡大図である。
【図５】図５は、図３中のＡ−Ａ矢視で示す断面の模式図である。
【図６】図６は、図４中のＢ−Ｂ矢視で示す断面の模式図である。
【図７】図７は、図３における腹側胴回り部２０の接合部を説明する図である。
【図８】図８は、腹側胴回り部２０の変形例の断面を説明する模式図である。
【図９】図９は、腹側胴回り部２０の変形例の断面を説明する模式図である。
【図１０】図１０は、腹側胴回り部２０の変形例の断面を説明する模式図である。
【図１１】図１１は、パンツ型使い捨ておむつ１（以下「おむつ」）の斜視図である。
【図１２】図１２は、展開状態且つ伸長状態のおむつ１を肌側面側から見た概略平面図である。
【図１３】図１３は、図１２中の腹側胴回り部２０の拡大図である。
【図１４】図１４は、図１２中の背側胴回り部３０の拡大図である。
【図１５】図１５は、図１３中のＡ−Ａ矢視で示す断面の模式図である。
【図１６】図１６は、図１４中のＢ−Ｂ矢視で示す断面の模式図である。
【図１７】図１７は、図１３における腹側胴回り部２０の接合部を説明する図である。
【図１８】図１８は、腹側胴回り部２０の変形例の断面を説明する模式図である。
【図１９】図１９は、腹側胴回り部２０の変形例の断面を説明する模式図である。
【図２０】図２０は、腹側胴回り部２０の変形例の断面を説明する模式図である。
【図２１】図２１は、腹側胴回り部２０の変形例の断面を説明する模式図である。
【図２２】図２２は、腹側胴回り部２０の変形例の断面を説明する模式図である。
【発明を実施するための形態】
【０００９】
本明細書及び添付図面の記載により、少なくとも以下の事項が明らかとなる。  
上下方向、左右方向、及び前後方向を有し、吸収性コアを備える吸収性本体及び一対の胴回り部を有し、前記胴回り部は、肌側シート部、非肌側シート部、及び前記左右方向に伸縮可能な複数の糸ゴムを備え、前記一対の胴回り部のうちの少なくとも腹側胴回り部は、前記上下方向において、前記吸収性本体より上側の上側部と、前記吸収性コアと前記前後方向において重なるコア側部を有し、前記複数の糸ゴムは、前記上側部に前記上下方向に間欠に配置された複数の上側糸ゴムと、前記コア側部に前記上下方向に間欠に配置された複数のコア側糸ゴムを有するパンツ型吸収性物品であって、前記上側部における前記上下方向に隣接する前記上側糸ゴム同士のピッチの平均値は、前記コア側部における前記上下方向に隣接する前記コア側糸ゴム同士のピッチの平均値よりも小さく、前記上側部を前記左右方向に単位長さだけ伸長させる力の大きさを前記上側部の前記上下方向の長さで除した値が、前記コア側部を前記左右方向に単位長さだけ伸長させる力の大きさを前記コア側部の前記上下方向の長さで除した値より小さいことを特徴とするパンツ型吸収性物品である。
【００１０】
このようなパンツ型吸収性物品によれば、上側部は、コア部側よりも糸ゴム同士のピッチを小さくすることで、着用者の肌に面で接触させやすくする一方で、コア部側よりも収縮力の小さい上側部の糸ゴムによって着用者の肌に糸ゴムの跡が付いたりする恐れを軽減させやすくなる。
【００１１】
上下方向、左右方向、及び前後方向を有し、吸収性コアを備える吸収性本体及び一対の胴回り部を有し、前記胴回り部は、肌側シート部、非肌側シート部、及び前記左右方向に伸縮可能な複数の糸ゴムを備え、前記一対の胴回り部のうちの少なくとも腹側胴回り部は、前記上下方向において、前記吸収性本体より上側の上側部と、前記吸収性コアと前記前後方向において重なるコア側部を有し、前記複数の糸ゴムは、前記上側部に前記上下方向に間欠に配置された複数の上側糸ゴムと、前記コア側部に前記上下方向に間欠に配置された複数のコア側糸ゴムを有するパンツ型吸収性物品であって、前記上側部における前記上下方向に隣接する前記上側糸ゴム同士のピッチの平均値は、前記コア側部における前記上下方向に隣接する前記コア側糸ゴム同士のピッチの平均値よりも小さく、複数の前記上側糸ゴムの直径の平均値が、複数の前記コア側糸ゴムの直径の平均値より小さいことを特徴とするパンツ型吸収性物品である。
【００１２】
このようなパンツ型吸収性物品によれば、上側部は、コア部側よりも糸ゴム同士のピッチを小さくすることで、着用者の肌に面で接触させやすくする一方で、コア部側よりも糸ゴムの直径の小さい上側部の糸ゴムによって着用者の肌に糸ゴムの跡が付いたりする恐れを軽減させやすくなる。
【００１３】
かかるパンツ型吸収性物品であって、複数の前記上側糸ゴムは、前記左右方向において、前記腹側胴回り部の一端部から他端部まで連続して設けられていることが望ましい。
【００１４】
このようなパンツ型吸収性物品によれば、上側糸ゴムによって、腹側胴回り部の一端部から他端部までを着用者の腹部にフィットさせやすくなる。
【００１５】
かかるパンツ型吸収性物品であって、前記左右方向における前記腹側胴回り部の中央部であって、前記上下方向における前記腹側胴回り部の上端部にはカット部が設けられていないことが望ましい。
【００１６】
このようなパンツ型吸収性物品によれば、腹側胴回り部の上端にカットが設けられていないパンツ型吸収性物品は、上側糸ゴムによって着用者の肌に糸ゴムの跡が付いたりする恐れを軽減させることができる。
【００１７】
かかるパンツ型吸収性物品であって、前記腹側胴回り部は、前記前後方向において前記吸収性本体と重なり、且つ、前記上下方向において前記吸収性コアより上側の中間部を有し、前記複数の糸ゴムは、前記中間部に配置された中間糸ゴムを有していることが望ましい。
【００１８】
このようなパンツ型吸収性物品によれば、中間糸ゴムによって、中間部を着用者の身体にフィットさせやすくなる。
【００１９】
かかるパンツ型吸収性物品であって、前記上側部を前記左右方向に単位長さだけ伸長させる力の大きさを前記上側部の前記上下方向の長さで除した値が、前記中間部を前記左右方向に単位長さだけ伸長させる力の大きさを前記中間部の前記上下方向の長さで除した値より小さいことが望ましい。
【００２０】
このようなパンツ型吸収性物品によれば、上側部を着用者の肌に柔らかく当接させつつ、中間部を着用者の肌によりフィットさせることで、上端部によって着用者の肌に糸ゴムの跡が付いたりすることを防ぎつつ、吸収性本体から排泄物が漏れてしまう恐れを軽減させることができる。
【００２１】
かかるパンツ型吸収性物品であって、前記コア側部を前記左右方向に単位長さだけ伸長させる力の大きさを前記上側部の前記上下方向の長さで除した値が、前記中間部を前記左右方向に単位長さだけ伸長させる力の大きさを前記中間部の前記上下方向の長さで除した値より小さいことが望ましい。
【００２２】
このようなパンツ型吸収性物品によれば、コア側部よりも中間部をよりしっかり着用者の肌フィットさせることで、吸収性本体の上側から排泄物が漏れてしまう恐れをより軽減させることができる。
【００２３】
かかるパンツ型吸収性物品であって、前記非肌側シート部の上側端部が肌側に折り返された上側シート部を有し、前記上側シート部の下端が、前記吸収性本体の上端よりも下側に位置することが望ましい。
【００２４】
このようなパンツ型吸収性物品によれば、吸収性本体の上端と上側部との剛性差を緩和させることができるため、吸収性本体の上端より上側で上下方向に折れ曲がってしまう恐れを軽減させることができる。
【００２５】
かかるパンツ型吸収性物品であって、前記上側部は、前記肌側シート部より肌側に、上側シート部を有し、前記前後方向において、前記上側糸ゴムは、前記肌側シート部より肌側、且つ、前記上側シート部より非肌側に配置され、前記コア側糸ゴムは、前記肌側シート部より非肌側、且つ、前記非肌側シート部より肌側に配置されていることが望ましい。
【００２６】
このようなパンツ型吸収性物品によれば、パンツ型吸収性物品を非肌側から見た際に、胴回り部の上側糸ゴムはコア側糸ゴムより視認しづらくなり、上側部が着用者の胴回りを柔らかくフィットさせるような印象を与えやすくなる。
【００２７】
かかるパンツ型吸収性物品であって、前記上側部は、前記肌側シート部と前記非肌側シート部を接合する接合部を有することが望ましい。
【００２８】
このようなパンツ型吸収性物品によれば、上側部の剛性をより高くすることができるため、糸ゴムの収縮によって上側部が上下方向にまくれてしまう恐れを軽減させることができる。
【００２９】
かかるパンツ型吸収性物品であって、前記腹側胴回り部は、前記肌側シート部と前記非肌側シート部を接合する接合部を有し、前記接合部は、前記上下方向に沿った形状であり、複数の前記接合部が、前記左右方向に間欠に配置されていることが望ましい。
【００３０】
このようなパンツ型吸収性物品によれば、接合部によって胴回り部の上下方向の剛性を向上させることができるため、糸ゴムの収縮によって胴回り部が上下方向にたくれてしまう恐れを軽減させることができる。
【００３１】
かかるパンツ型吸収性物品であって、前記一対の胴回り部のうちの背側胴回り部は、前記上下方向において、前記上側部と重なる背側上側部と、前記コア側部と重なる背側コア側部を有し、前記複数の糸ゴムは、前記背側上側部に前記上下方向に間欠に配置された複数の背側上側糸ゴムと、前記背側コア側部に前記上下方向に間欠に配置された複数の背側コア側糸ゴムを有し、前記背側上側部を前記左右方向に単位長さだけ伸長させる力の大きさを前記背側上側部の前記上下方向の長さで除した値が、前記背側コア側部を前記左右方向に単位長さだけ伸長させる力の大きさを前記背側コア側部の前記上下方向の長さで除した値より大きいことが望ましい。
【００３２】
このようなパンツ型吸収性物品によれば、背側コア側糸ゴムよりもより伸長させる力が大きい、背側上側糸ゴムによって着用中の吸収性物品が下に落ちてしまう恐れを軽減させやすくなる。
【００３３】
かかるパンツ型吸収性物品であって、前記背側上側部における前記上下方向に隣接する前記背側上側糸ゴム同士のピッチの平均値は、前記背側コア側部における前記上下方向に隣接する前記背側コア側糸ゴム同士のピッチの平均値よりも小さいことが望ましい。
【００３４】
このようなパンツ型吸収性物品によれば、背側コア側糸ゴムよりもより伸長させる力が大きい、背側上側糸ゴムによって着用中の吸収性物品が下に落ちてしまう恐れをより軽減させやすくなる。
【００３５】
かかるパンツ型吸収性物品であって、前記一対の胴回り部のうちの背側胴回り部は、前記上下方向において、前記上側部と重なる背側上側部と、前記コア側部と重なる背側コア側部を有し、前記複数の糸ゴムは、前記背側上側部に前記上下方向に間欠に配置された複数の背側上側糸ゴムと、前記背側コア側部に前記上下方向に間欠に配置された複数の背側コア側糸ゴムを有し、前記上側部における前記上下方向に隣接する前記上側糸ゴム同士のピッチの平均値は、前記背側上側部における前記上下方向に隣接する前記背側上側糸ゴム同士のピッチの平均値以下であり、前記上側部を前記左右方向に単位長さだけ伸長させる力の大きさが、前記背側上側部を前記左右方向に単位長さだけ伸長させる力の大きさ以下であることが望ましい。
【００３６】
このようなパンツ型吸収性物品によれば、背側胴回り部の糸ゴムによって、パンツ型吸収性物品を着用者の胴回りにフィットさせやすくする一方で、腹側胴回り部の糸ゴムのピッチを背側上側部の平均値以下であることで、上側部の肌に面で当接しつつ、腹側胴回り部の糸ゴムの伸長させる力が小さい腹側胴回り部は、着用者の腹部を過度に締め付けないようにすることができる。
【００３７】
＝＝＝第１実施形態＝＝＝
以下、本発明に係るパンツ型吸収性物品として、乳幼児用の使い捨ておむつを例に挙げて第１実施形態を説明する。ただし、本発明に係るパンツ型吸収性物品は、乳幼児用の使い捨ておむつに限らず、大人用の使い捨ておむつや、生理用ショーツ等としても利用可能である。
【００３８】
＝＝＝パンツ型使い捨ておむつ１の構成＝＝＝
図１は、パンツ型使い捨ておむつ１（以下「おむつ」）の斜視図である。図２は、展開状態且つ伸長状態のおむつ１を肌側面側から見た概略平面図である。「展開状態」とは、パンツ型状態のおむつ１の両側部の、腹側胴回り部２０の両側側端部と背側胴回り部３０の両側側端部の接合領域２をそれぞれ分離し、開いておむつ１全体を平面的に展開した状態である。「伸長状態」とは、おむつ１の皺が視認できなくなる程度まで、おむつ１が備える伸縮部材を伸長させた状態を示す。具体的には、おむつ１を構成する各部材（例えば、後述する腹側胴回り部２０等）の寸法がその部材単体の寸法と一致又はそれに近い寸法になるまで伸長させた状態を示す。図２中のＣ−Ｃ線は左右方向における中心線である。
【００３９】
おむつ１は、図１に示すパンツ型状態において、上下方向、左右方向、及び前後方向を有し、胴回り開口部ＢＨ、及び、一対の脚回り開口部ＬＨが形成されている。上下方向において、胴回り開口部ＢＨ側を上側とし、股下側を下側とする。また、おむつ１を構成する資材が積層された方向を厚さ方向といい、厚さ方向において着用者に接触する側を肌側といい、その逆側を非肌側という。なお、パンツ型状態のおむつ１の前後方向は、展開状態のおむつ１の厚さ方向に相当する。
【００４０】
おむつ１は、所謂３ピースタイプであり、吸収性本体１０と腹側胴回り部２０、背側胴回り部３０を有する。腹側胴回り部２０は、着用者の腹側を覆い、背側胴回り部３０は、着用者の背側を覆う。
【００４１】
図２に示す展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向一方側の端部がホットメルト等の接着部Ｈ１０（図５）で接合され、左右方向における背側胴回り部３０の中央部に、吸収性本体１０の長手方向他方側の端部が接着部Ｈ１０（図５）で接合されている。接着部Ｈ１０における接着剤の塗布パターンとしては、ストライプパターン、スパイラルパターン、Ωパターン等の公知のパターンを例示できる。また、腹側胴回り部２０及び背側胴回り部３０と吸収性本体１０との接合は、接着剤に限らず、熱溶着や超音波溶着等により固定した溶着領域であってもよい。
【００４２】
図２に示す展開状態のおむつ１おむつ１は、中心線Ｃ−Ｃに対して左右対称な形状を有している。また、吸収性本体１０の長手方向がおむつ１の上下方向に沿うように、吸収性本体１０が長手方向の略中央Ｃ１０で二つ折りされ、おむつ１の左右方向における腹側胴回り部２０の両側端部と背側胴回り部３０の両側端部とが、熱溶着や超音波溶着等で接合されて、一対の接合領域２が形成されることにより、図１に示すパンツ型状態のおむつ１となる。
【００４３】
吸収性本体１０は、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００４４】
吸収体１１は、平面視略矩形形状であり、尿等の排泄液を吸収して保持する吸収性コア１１Ａと、吸収性コア１１Ａを覆う液透過性のコアラップシート１１Ｂを備える。吸収性コア１１Ａとしては、高吸収性ポリマー（ＳＡＰ）を含むパルプ等の液体吸収性繊維を所定の形状、例えば平面視略砂時計形状に成形されたものを例示できる。コアラップシート１１Ｂとしては、ティッシュペーパーや不織布等の液透過性シートを例示できる。
【００４５】
また、図２に示すように、左右方向における吸収性本体１０の両側部には、脚回り弾性部材１５が設けられており、おむつ１は着用者の脚回りにフィットする。脚回り弾性部材１５は、例えば、左右方向の内側に折り返されて２層となった外装シート１４の間において、吸収性本体１０の長手方向に伸長状態で固定されている。脚回り弾性部材１５としては、糸ゴムや伸縮性シートを例示できる。
【００４６】
腹側胴回り部２０及び背側胴回り部３０は、それぞれ略矩形形状を有している。この腹側胴回り部２０の左右方向における中央部で、腹側胴回り部２０の上端部には、カット部が設けられていない。カット部とは、例えば、腹側胴回り部２０の上端部から下側に凹んだ形状等をいう。同様に、背側胴回り部３０の左右方向における中央部で、腹側胴回り部２０の上端部は、カット部が設けられていない。腹側胴回り部２０は、肌側シート（肌側シート部）２１と、非肌側シート２２と、複数の糸ゴム２３を有し、背側胴回り部３０は、肌側シート３１と、非肌側シート３２と、複数の糸ゴム３３を有する。肌側シート２１、３１と、非肌側シート２２、３２は、それぞれホットメルト等の接着剤によって接合されている。複数の糸ゴム２３、３３の詳細は後述する。
【００４７】
非肌側シート２２、３２は肌側シート２１、３１よりも非肌側に配置されている。肌側シート２１、３１及び非肌側シート２２、３２は吸収性本体１０よりも非肌側に配置されている。非肌側シート２２、３２の上方の端部は、肌触りの向上と耐久性の向上のために、それぞれ下方向に折り返した折り返し部２２ｕ、３２ｕを構成している。非肌側シート２２は、非肌側シート部２２ｎと折り返し部２２ｕを有する。
【００４８】
肌側シート２１、３１及び非肌側シート２２、３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどの非伸縮シートを用いることができる。
【００４９】
また、腹側胴回り部２０は、折り返し部２２ｕより肌側にシート部材２４を備えている。シート部材２４は、吸収性本体１０の腹側の上端を跨ぐように、吸収性本体１０と折り返し部２２ｕに、接着部Ｈ２４（図５参照）で接合されている。同様に、背側胴回り部３０は、折り返し部３２ｕより肌側にシート部材３４を備えている。シート部材３４は、吸収性本体１０の背側の上端を跨ぐように、吸収性本体１０、折り返し部３２ｕ及び肌側シート３１に、接着剤Ｈ３４（図６参照）で接合されている。シート部材２４、３４は、不織布等からなる矩形状のシート部材である。このシート部材２４、３４によって、吸収性本体１０の上下方向の端部が着用者の肌に直接接触することを抑制し、着用時における腹側胴回り部２０及び背側胴回り部３０の肌触りをより良好なものにすることができる。また、シート部材２４、３４は、腹側胴回り部２０及び背側胴回り部３０と、吸収性本体１０との接合をより強固にすることができる。
【００５０】
＝＝＝糸ゴム２３、３３について＝＝＝
図３は、図２中の腹側胴回り部２０の拡大図である。図４は、図２中の背側胴回り部３０の拡大図である。複数の糸ゴム２３、３３は、肌側シート２１、３１と非肌側シート２２、３２の間において、上端部から下端部に亘ってホットメルト等の接着剤が塗布された糸ゴム２３、３３が並んで配置されるとともに、左右方向に伸長状態で固定されている。よって、腹側胴回り部２０及び背側胴回り部３０は互いに接合されるとともに、左右方向に伸縮し、着用者の胴回りにフィットする。
【００５１】
図３に示すように、腹側胴回り部２０は、上側から順に腹側上側部ＡＵ、腹側中間部ＡＭ、腹側コア側部ＡＣを有する。具体的には、腹側上側部ＡＵは、腹側胴回り部２０のうち、上下方向において吸収性本体１０より上側の矩形領域である。腹側コア側部ＡＣは、腹側胴回り部２０のうち、吸収性コア１１Ａと前後方向において重なる矩形領域である。腹側中間部ＡＭは、吸収性本体１０と重なり、且つ吸収性コア１１Ａより上側の矩形領域である。
【００５２】
図４に示すように、背側胴回り部３０は、上側から順に背側上側部ＢＵ、背側中間部ＢＭ、背側コア側部ＢＣを有する。具体的には、パンツ型状態のおむつ１において、腹側胴回り部２０の腹側上側部ＡＵと前後方向において重なる背側胴回り部３０の領域は、背側上側部ＢＵであり、腹側胴回り部２０の腹側中間部ＡＭと前後方向において重なる背側胴回り部３０の領域は、背側中間部ＢＭであり、腹側胴回り部２０の腹側コア側部ＡＣと前後方向において重なる背側胴回り部３０の領域は、背側コア側部ＢＣである。
【００５３】
図５は、図３中のＡ−Ａ矢視で示す断面の模式図である。図６は、図４中のＢ−Ｂ矢視で示す断面の模式図である。図５及び図６においては、厚さ方向に関して構成を理解しやすいように寸法を適宜変更して示している。
【００５４】
図５に示すように、腹側胴回り部２０は、肌側から順に、シート部材２４、折り返し部２２ｕ、肌側糸ゴム２３ｕ、肌側シート２１、非肌側糸ゴム２３ｃと接着部（接合部）Ｈ２０、及び非肌側シート部２２ｎを備えている。腹側胴回り部２０の糸ゴム２３のうち、腹側上側部ＡＵには腹側上側糸ゴム２３ｔ、腹側中間部ＡＭには腹側中間糸ゴム２３ｍ、腹側コア側部ＡＣには腹側コア側糸ゴム２３ｄが配置されている。具体的には、腹側上側糸ゴム２３ｔとして複数の肌側糸ゴム２３ｕが配置され、腹側中間糸ゴム２３ｍとして複数の肌側糸ゴム２３ｕと複数の非肌側糸ゴム２３ｃが配置され、腹側コア側糸ゴム２３ｄとして複数の非肌側糸ゴム２３ｃが配置されている。
【００５５】
図６に示すように、背側胴回り部３０は、肌側から順に、シート部材３４、折り返し部３２ｕ、肌側シート３１、糸ゴム３３、及び非肌側シート部３２ｎを備えている。背側胴回り部３０の糸ゴム３３のうち、背側上側部ＢＵには背側上側糸ゴム３３ｔ、背側中間部ＢＭには背側中間糸ゴム３３ｍ、背側コア側部ＢＣには背側コア側糸ゴム３３ｄが配置されている。背側胴回り部３０の糸ゴム３３は、腹側胴回り部２０のような肌側糸ゴムを有しておらず、全ての糸ゴム３３は、腹側胴回り部２０の非肌側糸ゴム２３ｃに相当する位置に配置されている。
【００５６】
腹側胴回り部２０における折り返し部２２ｕは、肌側糸ゴム２３ｕより肌側に設けられた「上側シート部２２ｓ」ともいう。この折り返し部２２ｕの下端は、吸収性本体１０の上端より下側に位置していることが好ましい。つまり、折り返し部２２ｕは、腹側上側部ＡＵだけでなく、腹側中間部ＡＭにまで配置されているとよい。これによって、比較的高い剛性を有する吸収性本体１０の上端部によって生じた、吸収性本体１０の上端における剛性の差を緩和させることができるため、吸収性本体１０の上端を境に折れ曲がってしまう恐れを軽減させることができる。
【００５７】
肌側糸ゴム２３ｕは、前後方向において、肌側シート２１より肌側で、且つ、折り返し部２２ｕより非肌側に配置されており、非肌側糸ゴム２３ｃは、肌側シート２１より非肌側で、且つ、非肌側シート部２２ｎより肌側に配置されていることが好ましい。つまり、肌側糸ゴム２３ｕは肌側シート２１より肌側であり、非肌側糸ゴム２３ｃは肌側シート２１より非肌側であることから、肌側糸ゴム２３ｕは非肌側糸ゴム２３ｃより肌側に位置している。腹側上側部ＡＵにおいて、肌側糸ゴム２３ｕより非肌側には、肌側シート２１、接着部Ｈ２０、非肌側シート部２２ｎが配置されている。これによって、パンツ型状態、特に着用状態のおむつ１を非肌側から見た際に、肌側糸ゴム２３ｕは、非肌側糸ゴム２３ｃよりもより多くの資材を通して視認することになるため、腹側上側部ＡＵの肌側糸ゴム２３ｕを、非肌側糸ゴム２３ｃよりも視認しづらくさせることができ、着用者の胴回りを過度に締め付けず、柔らかくおむつ１をフィットさせているような印象を与えやすくなる。また、図２及び図３に示すように、中間糸ゴム２３ｍである肌側糸ゴム２３ｕ及び非肌側糸ゴム２３ｃを、左右方向における、腹側胴回り部２０の一端部から他端部まで連続して設けて、腹側胴回り部２０の一端部から他端部までを着用者の肌にフィットさせることができ、肌側糸ゴム２３ｕよりもより視認しやすい非肌側糸ゴム２３ｃを有することで、腹側コア側部ＡＣについては、非肌側糸ゴム２３ｃの収縮力がより強く働いているような印象を与えやすくなる。
【００５８】
また、腹側上側部ＡＵにおいて、肌側シート２１と非肌側シート部２２ｎがホットメルト等の接着部Ｈ２０によって接着されていることが好ましい。腹側上側部ＡＵは、肌側糸ゴム２３ｕの収縮によって、腹側胴回り部２０の上端部が巻かれるように下がってしまう恐れがある。この点、腹側上側部ＡＵにおいて、肌側シート２１と非肌側シート部２２ｎとを接着剤を用いて接着させることで、接着部Ｈ２０の剛性によって腹側上側部ＡＵの剛性を向上させることができ、腹側胴回り部２０の上端部がまくれてしまう恐れを軽減させることができる。なお、接着部Ｈ２０は、必ずしも接着剤による接合部に限られず、例えば、熱による溶着や超音波による融着等による接合部でもよい。
【００５９】
図５に示すように、腹側上側糸ゴム２３ｔ同士のピッチＰｔの平均値は、腹側コア側糸ゴム２３ｄ同士のピッチＰｄの平均値より小さく、腹側上側部ＡＵを左右方向に単位長さだけ伸長させる力の大きさＦ１を腹側上側部ＡＵの上下方向の長さＨ１で除した値（Ｆ１／Ｈ１）は、腹側コア側部ＡＣを左右方向に単位長さだけ伸長させる力の大きさＦ３を腹側コア側部ＡＣの上下方向の長さＨ３で除した値（Ｆ３／Ｈ３）より小さい（Ｆ１／Ｈ１＜Ｆ３／Ｈ３）。
【００６０】
また、複数の腹側上側糸ゴム２３ｔの直径の平均値は、複数の腹側コア側糸ゴム２３ｄの直径の平均値より小さい。平たくいうと、腹側上側糸ゴム２３ｔは腹側コア側糸ゴム２３ｄより細い。そのため、腹側上側糸ゴム２３ｔの左右方向への収縮力は、腹側コア側糸ゴム２３ｄの左右方向への収縮力より小さい。
【００６１】
腹側上側糸ゴム２３ｔ同士のピッチＰｔは、上下方向に隣接する腹側上側糸ゴム２３ｔの中心間の長さである。腹側上側糸ゴム２３ｔ同士のピッチＰｔは、肌側糸ゴム２３ｕ同士のピッチでもある。本実施形態において、ピッチＰｔの平均値は、２．５ｍｍであり、ピッチＰｔは、１．０ｍｍ〜４．０ｍｍであることが好ましい。腹側コア側糸ゴム２３ｄ同士のピッチＰｄは、上下方向に隣接する腹側コア側糸ゴム２３ｃの中心間の長さである。腹側コア側糸ゴム２３ｄ同士のピッチＰｄは、非肌側糸ゴム２３ｃのピッチでもある。本実施形態において、ピッチＰｄの平均値は、７．０ｍｍであり、ピッチＰｄは、５．０ｍｍ〜１０．０ｍｍであることが好ましい。本実施形態において、各ピッチＰｔ及び各ピッチＰｄは、それぞれ略等間隔としたがこれに限られない。各ピッチＰｔ、Ｐｄはそれぞれ任意の値にすることができる。また、腹側上側糸ゴム２３ｔと腹側コア側糸ゴム２３ｄは、それぞれ略同じ太さを有しているが、これに限られない。腹側上側糸ゴム２３ｔと腹側コア側糸ゴム２３ｄは、それぞれ任意の太さのものを用いてもよい。
【００６２】
左右方向に伸長させる力、すなわち左右方向の「伸長力」とは、左右方向の「収縮力」である。そのため、腹側上側部ＡＵを左右方向の外側に向かって所定の力で伸長させた場合には、腹側上側部ＡＵは、左右方向の内側に向かって収縮しようとする。その左右方向の内側に向かう力が「収縮力」である。例えば、自然状態のおむつ１を伸長状態のおむつ１にするために必要な伸長力と、伸長状態のおむつ１が自然状態のおむつ１に戻ろうとする収縮力は等しい。以下、「伸長力」に代えて「収縮力」ということもある。つまり、腹側上側部ＡＵにおける上下方向の単位長さ当たりについて左右方向に働く収縮力が、腹側コア側部ＡＣにおける上下方向の単位長さ当たりについて左右方向に働く収縮力より小さい。なお、背側胴回り部３０の各部の左右方向に伸長させる力についても同様である。
【００６３】
腹側上側糸ゴム２３ｔ同士のピッチＰｔの平均値を、腹側コア側糸ゴム２３ｄ同士のピッチＰｄの平均値より小さくすることによって、腹側コア側部ＡＣよりも腹側上側部ＡＵを着用者の肌に面で接触させやすくなるため、腹側上側糸ゴム２３ｔが局所的に着用者の肌を締め付けてしまう恐れを軽減させることができる。
【００６４】
しかし、一般的に、腹側上側糸ゴム２３ｔ同士のピッチＰｔの平均値を小さくすればするほど、腹側上側糸ゴム２３ｔの数が増えてしまい、腹側上側部ＡＵの収縮力が大きくなる傾向がある。特に、乳幼児は腹部に丸みを帯びた体型を有しているため、腹側上側糸ゴム２３ｔの収縮による影響を受けやすい。また、腹側胴回り部２０全体の収縮力を小さくすると、着用中のおむつ１が着用者の腹部にフィットせず、下方に落ちてしまう恐れがある。
【００６５】
この点、おむつ１は、腹側上側部ＡＵにおける上下方向の単位長さ当たりについて左右方向に働く収縮力を、腹側コア側部ＡＣにおける上下方向の単位長さ当たりについて左右方向に働く収縮力より小さくしている。より小さな収縮力を有する腹側上側部ＡＵが着用者の腹部により柔らかく接触する。これによって、腹側上側糸ゴム２３ｔの収縮によって着用者の腹部が過度に締め付けられて着用者の肌に腹側上側糸ゴム２３ｔの跡が付けられてしまうことを軽減することができる。一方、より大きな収縮力を有する腹側コア側部ＡＣが着用者の胴回りにより強くフィットさせて、おむつ１が下方に落ちてしまう恐れを軽減させることができ、吸収性コア１１Ａを着用者の肌により強く当接させるため、排泄物が漏れてしまう恐れを軽減させることができる。
【００６６】
また、腹側中間部ＡＭにも、中間糸ゴム２３ｍが配置されていることが好ましい。中間糸ゴム２３ｍの収縮によって、吸収性本体１０を着用者の腹部にフィットさせやすくなる。さらに、図５に示すように、腹側中間部ＡＭが、中間糸ゴム２３ｍとして肌側糸ゴム２３ｕと非肌側糸ゴム２３ｃを備えることで、吸収性本体１０を着用者の腹部によりフィットさせやすくなる。腹側中間部ＡＭは、吸収性本体１０の腹側の上端部であるため、吸収性本体１０の腹側の上端部を着用者の肌により強く密着させて、吸収性本体１０の腹側の上端から排泄物が漏れてしまう恐れをより軽減させることができる。
【００６７】
腹側上側部ＡＵを左右方向に単位長さだけ伸長させる力の大きさＦ１を腹側上側部ＡＵの上下方向の長さＨ１で除した値（Ｆ１／Ｈ１）が、腹側中間部ＡＭを左右方向に単位長さだけ伸長させる大きさＦ２を腹側中間部ＡＭの上下方向の長さＨ２で除した値（Ｆ２／Ｈ２）よりも小さいことが好ましい（Ｆ１／Ｈ１＜Ｆ２／Ｈ２）。これによって、腹側中間糸ゴム２３ｍが吸収性本体１０を着用者の腹部にフィットさせて排泄物が漏れるのを防ぎつつ、腹側中間部ＡＭよりも収縮力の小さい腹側上側部ＡＵは、着用者の肌により柔らかく当接するため、着用者の腹部を過度に締め付けて、腹側上側糸ゴム２３ｔの跡が付くことを軽減させることができる。
【００６８】
さらに、腹側コア側部ＡＣを左右方向に単位長さだけ伸長させる力の大きさＦ３を腹側コア側部ＡＣの上下方向の長さＨ３で除した値（Ｆ３／Ｈ３）が、腹側中間部ＡＭを左右方向に単位長さだけ伸長させる大きさＦ２を腹側中間部ＡＭの上下方向の長さＨ２で除した値（Ｆ２／Ｈ２）より小さいことが好ましい（Ｆ３／Ｈ３＜Ｆ２／Ｈ２）。つまり、腹側コア側部ＡＣにおける上下方向の単位長さ当たりについて左右方向に働く収縮力を、腹側中間部ＡＭにおける上下方向の単位長さ当たりについて左右方向に働く収縮力より小さくするとよい。これによって、腹側中間部ＡＭは腹側コア側部ＡＣより強く吸収性本体１０を着用者の肌にフィットさせることができるため、吸収性本体１０の上側から排泄物が漏れてしまう恐れをより軽減させることができる。
【００６９】
背側上側部ＢＵを左右方向に単位長さだけ伸長させる力の大きさＦ４を背側上側部ＢＵの上下方向の長さＨ１で除した値（Ｆ４／Ｈ１）は、背側コア側部ＢＣを左右方向に単位長さだけ伸長させる力の大きさＦ６を背側コア側部ＢＣの上下方向の長さＨ３で除した値（Ｆ６／Ｈ３）より小さいことが好ましい（Ｆ４／Ｈ１＜Ｆ６／Ｈ３）。なお、背側上側部ＢＵは上下方向の長さがＨ１である腹側上側部ＡＵと前後方向において重なるため、背側上側部ＢＵの上下方向の長さはＨ１であり、背側コア側部ＢＣは上下方向の長さがＨ３である腹側コア側部ＡＣと前後方向において重なるため、背側コア側部ＢＣの上下方向の長さはＨ３である。さらに、図６に示すように、背側上側糸ゴム３３ｔ同士のピッチＰｊの平均値は、背側コア側糸ゴム３３ｄ同士のピッチＰｋの平均値より小さいことが好ましい。つまり、背側上側部ＢＵは、背側上側糸ゴム３３ｔの収縮力が背側コア側糸ゴム３３ｄの収縮力よりも小さい場合よりもより強固に着用者の胴回りにフィットさせることができるため、着用中のおむつ１が下方に落ちてしまう恐れをより軽減させることができる。
【００７０】
また、腹側上側糸ゴム２３ｔ同士のピッチＰｔの平均値が、背側上側糸ゴム３３ｔ同士のピッチＰｊの平均値より小さく、腹側上側部ＡＵを左右方向に単位長さだけ伸長させる力の大きさＦ１が、背側上側部ＢＵを左右方向に単位長さだけ伸長させる力の大きさＦ４以下であることがより好ましい（Ｆ１≦Ｆ４）。これによって、パンツ型状態のおむつ１において、腹側上側部ＡＵと環形状を形成する背側上側部ＢＵが、背側コア側部ＢＣより強く着用者の肌に当接する。そのため、おむつ１の上端部は、丸みを帯びた着用者の腹側には腹側上側部ＡＵが柔らかく当接し、比較的平らな形状の背側には背側上側部ＢＵがより強く肌に当接して、おむつ１が下方に落ちてしまう恐れを軽減させることができる。
【００７１】
腹側胴回り部２０は、肌側シート２１と非肌側シート２２とを接合する接合部を有しており、おむつ１においては、接着部Ｈ２０である。図７は、図３における腹側胴回り部２０の接合部を説明する図である。図７において、便宜上、糸ゴム２３を省略している。図７に示すように、複数の接着部Ｈ２０は、それぞれ上下方向に沿った形状であり、左右方向に間欠に配置されている。接着部Ｈ２０には、接着剤が連続的に塗布されている。接着剤による接着部Ｈ２０は比較的剛性が高いため、腹側胴回り部２０、特に腹側上側部ＡＵの上下方向の剛性を向上させることができる。腹側上側部ＡＵの剛性が向上させることで、腹側胴回り部２０の上端部がまくれてしまう恐れをより軽減させることができる。なお、肌側シート２１と非肌側シート２２との接合は、接着剤による接着に限られない。例えば、溶着や融着等によって行っても良い。また、接合部は、必ずしも連続している必要はなく、上下方向に間欠に配置された複数の溶着部や融着部等であってもよい。
【００７２】
腹側上側部ＡＵを左右方向に単位長さだけ伸長させる力の大きさＦ１、腹側中間部ＡＭを左右方向に単位長さだけ伸長させる大きさＦ２、腹側コア側部ＡＣを左右方向に単位長さだけ伸長させる力の大きさＦ３、背側上側部ＢＵを左右方向に単位長さだけ伸長させる力の大きさＦ４、及び背側コア側部ＢＣを左右方向に単位長さだけ伸長させる力の大きさＦ６の各収縮力の測定には、株式会社島津製作所のオートグラフ型引張試験機（例えば、ＡＧ−１ＫＮ１）を用いることができる。
【００７３】
まず、伸長状態のおむつ１の、腹側胴回り部２０及び背側胴回り部３０のそれぞれ接合領域２の左右方向の内側同士間の左右方向の長さ（伸長寸法）を予め測定する。そして、接合領域２を含めたおむつ１の左右方向の両側の接合をカッターで切断し、腹側胴回り部２０から腹側上側部ＡＵ、腹側中間部ＡＭ、腹側コア側部ＡＣを、背側胴回り部３０から背側上側部ＢＵ、背側コア側部ＢＣをそれぞれ切り取って試料とする。
【００７４】
腹側胴回り部２０から腹側上側部ＡＵ、腹側中間部ＡＭ、腹側コア側部ＡＣ、背側胴回り部３０から背側上側部ＢＵ、背側コア側部ＢＣをそれぞれ切り取る際には、腹側胴回り部２０及び背側胴回り部３０に接合している吸収性本体１０とともに切り取る。例えば、腹側中間部ＡＭの試料は、腹側胴回り部２０とともに、吸収性コア１１Ａを含まない吸収性本体１０を切り取ったものであり、腹側コア側部ＡＣの試料は、腹側胴回り部２０とともに、吸収性コア１１Ａを含む吸収性本体１０を切り取ったものである。
【００７５】
次に、各試料の一方側の端を固定チャック、他方側の端を可動チャックに挟み、３００ｍｍ／ｍｉｎの速度で伸長寸法の約９０％の長さとなるまで伸長させた後に、伸長寸法の約７５％の大きさまで収縮させたときの引張荷重（Ｎ）を求めて、単位長さ（ｍｍ）当たりの力（Ｎ／ｍｍ）に換算して単位長さだけ伸長させる力とすることができる。
【００７６】
なお、各部（ＡＵ、ＡＭ、ＡＣ、ＢＵ、ＢＭ、ＢＣ）を左右方向に伸長させる力の大きさは、糸ゴム２３、３３の太さだけでなく、糸ゴムのばね定数や糸ゴムの本数、各部（ＡＵ、ＡＭ、ＡＣ、ＢＵ、ＢＭ、ＢＣ）に積層されている資材の種類や数によっても調整可能である。
【００７７】
＝＝＝変形例＝＝＝
図８から図１０は、腹側胴回り部２０の変形例の断面を説明する模式図である。上述の実施形態においては、腹側胴回り部２０に糸ゴム２３として肌側糸ゴム２３ｕと非肌側糸ゴム２３ｃを配置し、肌側糸ゴム２３ｕより肌側に折り返し部２２ｕを設けたが、これに限られない。
【００７８】
例えば、図８及び図９に示すように、腹側中間糸ゴム２３ｍとして非肌側糸ゴム２３ｃのみを配置し、肌側糸ゴム２３ｕを配置しないものであってもよい。また、図示はないが、腹側中間糸ゴム２３ｍとして、肌側糸ゴム２３ｕのみを配置し、非肌側糸ゴム２３ｃを配置しないものであってもよい。
【００７９】
また、図８に示すように、肌側糸ゴム２３ｕより肌側に、非肌側シート２２とは異なる部材からなる上側シート部２２ｓを有していてもよい。上側シート部２２ｓや折り返し部２２ｕは、少なくとも肌側糸ゴム２３ｕを肌側から覆うものであればよく、図８に示すように、肌側糸ゴム２３ｕが腹側上側領域ＡＵに配置されている場合でも、上側シート部２２ｓ（折り返し部ｕ）を腹側上側部ＡＵと腹側中間部ＡＭに亘って設けるものであってもよい。同様に、上側シート部２２ｓ（折り返し部ｕ）を腹側上側部ＡＵ、腹側中間部ＡＭ及び腹側コア側部ＡＣに亘って設けるものであってもよい。
【００８０】
さらに、図９に示すように、肌側糸ゴム２３ｕを配置しない構成であってもよい。このような場合においても、腹側上側糸ゴム２３ｔ同士のピッチＰｔの平均値を、腹側コア側糸ゴム２３ｄ同士のピッチＰｄの平均値より小さくして、腹側上側部ＡＵを着用者の肌に面で接触させやすくしつつ、腹側上側部ＡＵにおける上下方向の単位長さ当たりについて左右方向に働く収縮力を、腹側コア側部ＡＣにおける上下方向の単位長さ当たりについて左右方向に働く収縮力より小さくすることで、腹側上側部ＡＵにおける過度な締め付けを軽減させることができる。なお、図９に示すように、腹側上側部ＡＵにおいて、腹側上側糸ゴム２３ｔより肌側に肌側シート２１と折り返し部２２ｕ（上側シート部２２ｓ）のように複数の部材を重ねることで、腹側上側糸ゴム２３ｔが収縮しても腹側上側部ＡＵをより柔らかい肌当たりにすることができる。
【００８１】
図１０に示すように、非肌側シート２２だけでなく、肌側シート２１も折り返し部を有していてもよい。このような構成とすることで、腹側胴回り部２０の上端部における資材をより多くすることができるため、腹側上側糸ゴム２３ｔの収縮による肌当たりをより緩和させることができ、腹側上側糸ゴム２３ｔが着用者の肌を過度に締め付ける恐れを軽減させることができる。
【００８２】
＝＝＝第２実施形態＝＝＝
以下、本発明に係るパンツ型吸収性物品として、乳幼児用の使い捨ておむつを例に挙げて第２実施形態を説明する。ただし、本発明に係るパンツ型吸収性物品は、乳幼児用の使い捨ておむつに限らず、大人用の使い捨ておむつや、生理用ショーツ等としても利用可能である。以下の説明において、肌側糸ゴム２３ｕを「上側糸ゴム２３ｕ」ともいい、非肌側糸ゴム２３ｃを「コア側糸ゴム２３ｃ」ともいう。
【００８３】
＝＝＝パンツ型使い捨ておむつ１の構成＝＝＝
図１１は、パンツ型使い捨ておむつ１（以下「おむつ」）の斜視図である。図１１２は、展開状態且つ伸長状態のおむつ１を肌側面側から見た概略平面図である。「展開状態」とは、パンツ型状態のおむつ１の両側部の、腹側胴回り部２０の両側側端部と背側胴回り部３０の両側側端部の接合領域２をそれぞれ分離し、開いておむつ１全体を平面的に展開した状態である。「伸長状態」とは、おむつ１の皺が視認できなくなる程度まで、おむつ１が備える伸縮部材を伸長させた状態を示す。具体的には、おむつ１を構成する各部材（例えば、後述する腹側胴回り部２０等）の寸法がその部材単体の寸法と一致又はそれに近い寸法になるまで伸長させた状態を示す。図１２中のＣ−Ｃ線は左右方向における中心線である。
【００８４】
おむつ１は、図１１に示すパンツ型状態において、上下方向、左右方向、及び前後方向を有し、胴回り開口部ＢＨ、及び、一対の脚回り開口部ＬＨが形成されている。上下方向において、胴回り開口部ＢＨ側を上側とし、股下側を下側とする。また、おむつ１を構成する資材が積層された方向を厚さ方向といい、厚さ方向において着用者に接触する側を肌側といい、その逆側を非肌側という。なお、パンツ型状態のおむつ１の前後方向は、展開状態のおむつ１の厚さ方向に相当する。
【００８５】
おむつ１は、所謂３ピースタイプであり、吸収性本体１０と腹側胴回り部２０、背側胴回り部３０を有する。腹側胴回り部２０は、着用者の腹側を覆い、背側胴回り部３０は、着用者の背側を覆う。
【００８６】
図１２に示す展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向一方側の端部がホットメルト等の接着部Ｈ１０（図１５）で接合され、左右方向における背側胴回り部３０の中央部に、吸収性本体１０の長手方向他方側の端部が接着部Ｈ１０（図１５）で接合されている。接着部Ｈ１０における接着剤の塗布パターンとしては、ストライプパターン、スパイラルパターン、Ωパターン等の公知のパターンを例示できる。また、腹側胴回り部２０及び背側胴回り部３０と吸収性本体１０との接合は、接着剤に限らず、熱溶着や超音波溶着等により固定した溶着領域であってもよい。
【００８７】
図１２に示す展開状態のおむつ１おむつ１は、中心線Ｃ−Ｃに対して左右対称な形状を有している。また、吸収性本体１０の長手方向がおむつ１の上下方向に沿うように、吸収性本体１０が長手方向の略中央Ｃ１０で二つ折りされ、おむつ１の左右方向における腹側胴回り部２０の両側端部と背側胴回り部３０の両側端部とが、熱溶着や超音波溶着等で接合されて、一対の接合領域２が形成されることにより、図１１に示すパンツ型状態のおむつ１となる。
【００８８】
吸収性本体１０は、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００８９】
吸収体１１は、平面視略矩形形状であり、尿等の排泄液を吸収して保持する吸収性コア１１Ａと、吸収性コア１１Ａを覆う液透過性のコアラップシート１１Ｂを備える。吸収性コア１１Ａとしては、高吸収性ポリマー（ＳＡＰ）を含むパルプ等の液体吸収性繊維を所定の形状、例えば平面視略砂時計形状に成形されたものを例示できる。コアラップシート１１Ｂとしては、ティッシュペーパーや不織布等の液透過性シートを例示できる。
【００９０】
また、図１２に示すように、左右方向における吸収性本体１０の両側部には、脚回り弾性部材１５が設けられており、おむつ１は着用者の脚回りにフィットする。脚回り弾性部材１５は、例えば、左右方向の内側に折り返されて２層となった外装シート１４の間において、吸収性本体１０の長手方向に伸長状態で固定されている。脚回り弾性部材１５としては、糸ゴムや伸縮性シートを例示できる。
【００９１】
腹側胴回り部２０は、肌側シート（肌側シート部）２１と、非肌側シート２２と、複数の糸ゴム２３を有し、背側胴回り部３０は、肌側シート３１と、非肌側シート３２と、複数の糸ゴム３３を有する。肌側シート２１、３１と、非肌側シート２２、３２は、それぞれホットメルト等の接着剤によって接合されている。複数の糸ゴム２３、３３の詳細は後述する。
【００９２】
非肌側シート２２、３２は肌側シート２１、３１よりも非肌側に配置されている。肌側シート２１、３１及び非肌側シート２２、３２は吸収性本体１０よりも非肌側に配置されている。非肌側シート２２、３２の上方の端部は、肌触りの向上と耐久性の向上のために、それぞれ下方向に折り返した折り返し部２２ｕ、３２ｕを構成している。非肌側シート２２は、非肌側シート部２２ｎと折り返し部２２ｕを有する。
【００９３】
肌側シート２１、３１及び非肌側シート２２、３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどの非伸縮シートを用いることができる。
【００９４】
また、腹側胴回り部２０は、折り返し部２２ｕより肌側にシート部材２４を備えている。シート部材２４は、吸収性本体１０の腹側の上端を跨ぐように、吸収性本体１０と折り返し部２２ｕに、接着部Ｈ２４（図１５参照）で接合されている。同様に、背側胴回り部３０は、折り返し部３２ｕより肌側にシート部材３４を備えている。シート部材３４は、吸収性本体１０の背側の上端を跨ぐように、吸収性本体１０、折り返し部３２ｕ及び肌側シート３１に、接着剤Ｈ３４（図１６参照）で接合されている。シート部材２４、３４は、不織布等からなる矩形状のシート部材である。このシート部材２４、３４によって、吸収性本体１０の上下方向の端部が着用者の肌に直接接触することを抑制し、着用時における腹側胴回り部２０及び背側胴回り部３０の肌触りをより良好なものにすることができる。また、シート部材２４、３４は、前側胴回り部２０及び背側胴回り部３０と、吸収性本体１０との接合をより強固にすることができる。
【００９５】
＝＝＝糸ゴム２３、３３について＝＝＝
図１３は、図１２中の腹側胴回り部２０の拡大図である。図１４は、図１２中の背側胴回り部３０の拡大図である。複数の糸ゴム２３、３３は、肌側シート２１、３１と非肌側シート２２、３２の間において、上端部から下端部に亘ってホットメルト等の接着剤が塗布された糸ゴム２３、３３が並んで配置されるとともに、左右方向に伸長状態で固定されている。よって、腹側胴回り部２０及び背側胴回り部３０は互いに接合されるとともに、左右方向に伸縮し、着用者の胴回りにフィットする。
【００９６】
図１３に示すように、腹側胴回り部２０は、上側から順に腹側上側部ＡＵ、腹側中間部ＡＭ、腹側コア側部ＡＣを有する。具体的には、腹側上側部ＡＵは、腹側胴回り部２０のうち、上下方向において吸収性本体１０より上側の矩形領域である。腹側コア側部ＡＣは、腹側胴回り部２０のうち、吸収性コア１１Ａと前後方向において重なる矩形領域である。腹側中間部ＡＭは、吸収性本体１０と重なり、且つ吸収性コア１１Ａより上側の矩形領域である。
【００９７】
図１４に示すように、背側胴回り部３０は、上側から順に背側上側部ＢＵ、背側中間部ＢＭ、背側コア側部ＢＣを有する。具体的には、パンツ型状態のおむつ１において、腹側胴回り部２０の腹側上側部ＡＵと前後方向において重なる背側胴回り部３０の領域は、背側上側部ＢＵであり、腹側胴回り部２０の腹側中間部ＡＭと前後方向において重なる背側胴回り部３０の領域は、背側中間部ＢＭであり、腹側胴回り部２０の腹側コア側部ＡＣと前後方向において重なる背側胴回り部３０の領域は、背側コア側部ＢＣである。
【００９８】
図１５は、図１３中のＡ−Ａ矢視で示す断面の模式図である。図１６は、図１４中のＢ−Ｂ矢視で示す断面の模式図である。図１５及び図１６においては、厚さ方向に関して構成を理解しやすいように寸法を適宜変更して示している。
【００９９】
図１５に示すように、腹側胴回り部２０は、肌側から順に、シート部材２４、折り返し部２２ｕ、上側糸ゴム２３ｕ、肌側シート２１、コア側糸ゴム２３ｃと接着部（接合部）Ｈ２０、及び非肌側シート部２２ｎを備えている。腹側胴回り部２０の糸ゴム２３のうち、腹側上側部ＡＵ及び腹側中間部ＡＭには上側糸ゴム２３ｕが配置されており、腹側コア側部ＡＣ及び腹側中間部ＡＭにはコア側糸ゴム２３ｃが配置されている。腹側中間部ＡＭに配置された上側糸ゴム２３ｕ及びコア側糸ゴム２３ｃを、中間糸ゴム２３ｍともいう。また、折り返し部２２ｕは、上側糸ゴム２３ｕより肌側に設けられた「上側シート部２２ｓ」ともいう。
【０１００】
図１６に示すように、背側胴回り部３０は、肌側から順に、シート部材３４、折り返し部３２ｕ、肌側シート３１、糸ゴム３３、及び非肌側シート部３２ｎを備えている。背側胴回り部３０の糸ゴム３３は、腹側胴回り部２０のような上側糸ゴムを有していない。
【０１０１】
上側糸ゴム２３ｕは、前後方向において、肌側シート２１より肌側で、且つ、折り返し部２２ｕより非肌側で、吸収性本体１０より非肌側に配置されており、コア側糸ゴム２３ｃは、肌側シート２１より非肌側で、且つ、非肌側シート部２２ｎより肌側で、吸収性本体１０より非肌側に配置されている。つまり、上側糸ゴム２３ｕは肌側シート２１より肌側であり、コア側糸ゴム２３ｃは肌側シート２１より非肌側であることから、上側糸ゴム２３ｕはコア側糸ゴム２３ｃより肌側に位置している。腹側上側部ＡＵにおいて、上側糸ゴム２３ｕより非肌側には、肌側シート２１、接着部Ｈ２０、非肌側シート部２２ｎが配置されている。また、図１２及び図１３に示すように、中間糸ゴム２３ｍである上側糸ゴム２３ｕ及びコア側糸ゴム２３ｃは、左右方向において、腹側胴回り部２０の一端部から他端部まで連続して設けられている。
【０１０２】
このような上側糸ゴム２３ｕ及びコア側糸ゴム２３ｃの配置とすることで、パンツ型状態、特に着用状態のおむつ１を非肌側から見た際に、上側糸ゴム２３ｕは、コア側糸ゴム２３ｃよりもより多くの資材を通して視認することになるため、腹側上側部ＡＵの上側糸ゴム２３ｕは、コア側糸ゴム２３ｃよりも視認しづらくさせることができる。
【０１０３】
従来のパンツ型使い捨ておむつの胴回り部の糸ゴムは、背側胴回り部３０のように肌側シートと非肌側シートとの間に配置されることが一般的である。しかし、従来のパンツ型使い捨ておむつでは、上下方向において、吸収性本体と重なる部分を有さない胴回り部の上端部は、糸ゴムの収縮力が強く働いているように視認されやすく、おむつ１を非肌側から見た際に胴回り部の上端部を過度に締め付けているような印象を与える恐れがあった。特に、乳幼児のように腹部が前側にせり出したような体型の場合には、腹側を過度に締め付けているような印象を与えやすいという問題があった。
【０１０４】
この点、本実施形態のおむつ１は、腹側上側部ＡＵの上側糸ゴム２３ｕは、コア側糸ゴム２３ｃよりも視認しづらくすることで、着用者の胴回りを過度に締め付けず、柔らかくおむつ１をフィットさせているような印象を与えやすくなる。また、上側糸ゴム２３ｕよりもより視認しやすいコア側糸ゴム２３ｃを有することで、腹側上側部ＡＵは着用者の腹部に柔らかくフィットさせる印象を与える一方で、腹側コア側部ＡＣについては、コア側糸ゴム２３ｃの収縮力がより強く働いているような印象を与えやすくなる。これによって、着用者の胴回りに柔らかくフィットするおむつ１であっても、吸収性コア１１Ａを着用者の身体により強くフィットさせて、排泄物がおむつ１の外側に漏れる恐れを軽減させているという印象を与えやすくなる。
【０１０５】
腹側中間部ＡＭには、中間糸ゴム２３ｍが配置されているため、中間糸ゴム２３ｍの収縮によって、吸収性本体１０を着用者の腹部にフィットさせやすい。さらに、腹側中間部ＡＭにおいて、上側糸ゴム２３ｕとコア側糸ゴム２３ｃの中間糸ゴム２３ｍを備えることで、吸収性本体１０を着用者の腹部によりフィットさせやすくなる。腹側中間部ＡＭは、吸収性本体１０の腹側の上端部であるため、吸収性本体１０の腹側の上端部を着用者の肌により強く密着させることで、排泄物が吸収性本体１０の腹側の上端部から漏れてしまう恐れをより軽減させることができる。また、腹側胴回り部２０の左右方向の一端部から他端部まで連続して設けられた中間ゴム２３ｍを備えることで、吸収性本体１０の腹側の上端部を着用者の肌により密着させやすくなり、吸収性本体１０を着用者の身体にフィットさせた状態とすることができる。
【０１０６】
また、腹側上側部ＡＵにおいて、肌側シート２１と非肌側シート部２２ｎがホットメルト等の接着部Ｈ２０によって接着されていることが好ましい。腹側上側部ＡＵは、上側糸ゴム２３ｕの収縮によって、腹側胴回り部２０の上端部が巻かれるように下がってしまう恐れがある。この点、腹側上側部ＡＵにおいて、肌側シート２１と非肌側シート部２２ｎとを接着剤を用いて接着させることで、接着部Ｈ２０の剛性によって腹側上側部ＡＵの剛性を向上させることができ、腹側胴回り部２０の上端部がまくれてしまう恐れを軽減させることができる。なお、接着部Ｈ２０は、必ずしも接着剤による接合部に限られず、例えば、熱による溶着や超音波による融着等による接合部でもよい。
【０１０７】
腹側胴回り部２０は、肌側シート２１と非肌側シート２２とを接合する接合部を有しており、おむつ１においては、接着部Ｈ２０である。図１７は、図１３における腹側胴回り部２０の接合部を説明する図である。図１７において、便宜上、糸ゴム２３を省略している。図１７に示すように、複数の接着部Ｈ２０は、それぞれ上下方向に沿った形状であり、左右方向に間欠に配置されている。接着部Ｈ２０には、接着剤が連続的に塗布されている。接着剤による接着部Ｈ２０は比較的剛性が高いため、腹側胴回り部２０、特に腹側上側部ＡＵの上下方向の剛性を向上させることができる。腹側上側部ＡＵの剛性が向上させることで、腹側胴回り部２０の上端部がまくれてしまう恐れをより軽減させることができる。また、図１７に示すように、左右方向における接着部Ｈ２０の長さを、隣接する２つの接着部Ｈ２０の間の距離よりも短くすることで、左右方向における接着部Ｈ２０の長さが隣接する２つの接着部Ｈ２０の間の距離より長い場合よりも、接着剤によって腹側上側部ＡＵが硬くなりすぎてしまう恐れを軽減させることができる。なお、肌側シート２１と非肌側シート２２との接合は、接着剤による接着に限られない。例えば、溶着や融着等によって行っても良い。また、接合部は、必ずしも連続している必要はなく、上下方向に間欠に配置された複数の溶着部や融着部等であってもよい。
【０１０８】
さらに、折り返し部２２ｕの下端が、吸収性本体１０の上端より下側に位置している。つまり、折り返し部２２ｕは、腹側上側部ＡＵだけでなく、腹側中間部ＡＭにまで配置されている。これによって、比較的高い剛性を有する吸収性本体１０の上端部によって生じた、吸収性本体１０の上端における剛性の差を緩和させることができるため、吸収性本体１０の上端を境に折れ曲がってしまう恐れを軽減させることができる。
【０１０９】
腹側上側部ＡＵを左右方向に単位長さだけ伸長させる力の大きさＦ１を腹側上側部ＡＵの上下方向の長さＨ１で除した値（Ｆ１／Ｈ１）が、腹側中間部ＡＭを左右方向に単位長さだけ伸長させる大きさＦ２を腹側中間部ＡＭの上下方向の長さＨ２で除した値（Ｆ２／Ｈ２）よりも小さいことが好ましい（Ｆ１／Ｈ１＜Ｆ２／Ｈ２）。
【０１１０】
なお、左右方向に伸長させる力、すなわち左右方向の「伸長力」とは、左右方向の「収縮力」である。そのため、腹側上側部ＡＵを左右方向の外側に向かって所定の力で伸長させた場合には、腹側上側部ＡＵは、左右方向の内側に向かって収縮しようとする。その左右方向の内側に向かう力が「収縮力」である。例えば、自然状態のおむつ１を伸長状態のおむつ１にするために必要な伸長力と、伸長状態のおむつ１が自然状態のおむつ１に戻ろうとする収縮力は等しい。以下、「伸長力」に代えて「収縮力」ということもある。
【０１１１】
つまり、腹側上側部ＡＵにおける上下方向の単位長さ当たりについて左右方向に働く収縮力を、腹側中間部ＡＭにおける上下方向の単位長さ当たりについて左右方向に働く収縮力より小さくする。これによって、腹側上側部ＡＵを着用者の肌に柔らかく当接させつつ、腹側中間部ＡＭをより強く着用者の肌にフィットさせることができる。腹側中間部ＡＭにおいては、吸収性本体１０を着用者の肌により強く当接させて排泄物が漏れてしまう恐れを軽減させる一方、腹側上側部ＡＵにおいては、着用者の肌を過度に締め付けて、着用者の肌に糸ゴム２３の跡が付いてしまったりする恐れを軽減させることができる。
【０１１２】
また、腹側コア側部ＡＣを左右方向に単位長さだけ伸長させる力の大きさＦ３を腹側コア側部ＡＣの上下方向の長さＨ３で除した値（Ｆ３／Ｈ３）が、腹側中間部ＡＭを左右方向に単位長さだけ伸長させる大きさＦ２を腹側中間部ＡＭの上下方向の長さＨ２で除した値（Ｆ２／Ｈ２）より小さいことが好ましい（Ｆ３／Ｈ３＜Ｆ２／Ｈ２）。つまり、腹側コア側部ＡＣにおける上下方向の単位長さ当たりについて左右方向に働く収縮力を、腹側中間部ＡＭにおける上下方向の単位長さ当たりについて左右方向に働く収縮力より小さくする。これによって、腹側中間部ＡＭは腹側コア側部ＡＣより強く吸収性本体１０を着用者の肌にフィットさせることができるため、吸収性本体１０の上側から排泄物が漏れてしまう恐れをより軽減させることができる。
【０１１３】
さらに、腹側上側部ＡＵを左右方向に単位長さだけ伸長させる力の大きさＦ１を腹側上側部ＡＵの上下方向の長さＨ１で除した値（Ｆ１／Ｈ１）が、腹側コア側部ＡＣを左右方向に単位長さだけ伸長させる力の大きさＦ３を腹側コア側部ＡＣの上下方向の長さＨ３で除した値（Ｆ３／Ｈ３）より小さいことがより好ましい（Ｆ１／Ｈ１＜Ｆ３／Ｈ３）。つまり、腹側上側部ＡＵにおける上下方向の単位長さ当たりについて左右方向に働く収縮力を、腹側コア側部ＡＣにおける上下方向の単位長さ当たりについて左右方向に働く収縮力より小さくすることがより好ましい。これによって、腹側上側部ＡＵにおいては、着用者の肌を過度に締め付けて、着用者の肌に糸ゴム２３の跡が付いてしまったりする恐れを軽減させつつ、腹側コア側部ＡＣにおいてより強く吸収性コア１１Ａを着用者の肌にフィットさせることができるため、排泄物が漏れてしまう恐れをより軽減させることができる。
【０１１４】
腹側上側部ＡＵを左右方向に単位長さだけ伸長させる力の大きさＦ１、腹側中間部ＡＭを左右方向に単位長さだけ伸長させる大きさＦ２、及び腹側コア側部ＡＣを左右方向に単位長さだけ伸長させる力の大きさＦ３の収縮力の測定には、株式会社島津製作所のオートグラフ型引張試験機（例えば、ＡＧ−１ＫＮ１）を用いることができる。まず、伸長状態のおむつ１の、腹側胴回り部２０の接合領域２の左右方向の内側同士間の左右方向の長さ（伸長寸法）を予め測定し、接合領域２を含めたおむつ１の左右方向の両側の接合をカッターで切断し、腹側胴回り部２０から腹側上側部ＡＵ、腹側中間部ＡＭ、腹側コア側部ＡＣをそれぞれ切り取って試料とする。
【０１１５】
腹側胴回り部２０から腹側上側部ＡＵ、腹側中間部ＡＭ、腹側コア側部ＡＣをそれぞれ切り取る際には、腹側胴回り部２０に接合している吸収性本体１０とともに切り取る。つまり、腹側中間部ＡＭの試料は、腹側胴回り部２０とともに、吸収性コア１１Ａを含まない吸収性本体１０を切り取ったものであり、腹側コア側部ＡＣの試料は、腹側胴回り部２０とともに、吸収性コア１１Ａを含む吸収性本体１０を切り取ったものである。
【０１１６】
次に、各試料の一方側の端を固定チャック、他方側の端を可動チャックに挟み、３００ｍｍ／ｍｉｎの速度で伸長寸法の約９０％の長さとなるまで伸長させた後に、伸長寸法の約７５％の大きさまで収縮させたときの引張荷重（Ｎ）を求めて、単位長さ（ｍｍ）当たりの力（Ｎ／ｍｍ）に換算して単位長さだけ伸長させる力とすることができる。
【０１１７】
各部（ＡＵ、ＡＭ、ＡＣ）を左右方向に伸長させる力の大きさは、糸ゴムの太さや糸ゴムのばね定数、又は糸ゴムの本数等で調整可能である。
【０１１８】
＝＝＝変形例＝＝＝
図１８から図２２は、腹側胴回り部２０の変形例の断面を説明する模式図である。上述の実施形態においては、上側糸ゴム２３ｕを腹側上側部ＡＵと腹側中間部ＡＭに配置し、コア側糸ゴム２３ｃを腹側コア側部ＡＣと腹側中間部ＡＭに配置し、上側糸ゴム２３ｕより肌側に折り返し部２２ｕを設けたが、これに限られない。
【０１１９】
例えば、図１８に示すように、腹側上側部ＡＵに上側糸ゴム２３ｕを配置し、腹側中間部ＡＭと腹側コア側部ＡＣに上側糸ゴム２３ｕを配置せず、腹側コア側部ＡＣと腹側中間部ＡＭにコア側糸ゴム２３ｃを配置し、腹側上側部ＡＵにコア側糸ゴム２３ｃを配置しない構成であってもよい。このような場合においても、パンツ型状態のおむつ１において、腹側胴回り部２０の上端部の糸ゴム２３（２３ｕ）を視認しづらい状態として、着用者の腹部に柔らかく当接させている印象を与えつつ、吸収性本体１０と前後方向で重なる位置に設けられた糸ゴム２３（２３ｃ）によって、吸収性本体１０を着用者の身体により強くフィットさせて、排泄物が漏れにくい構成であるという印象を与えやすくすることができる。
【０１２０】
また、図１９に示すように、上側糸ゴム２３ｕより肌側に、非肌側シート２２とは異なる部材からなる上側シート部２２ｓを有していてもよい。さらに、上側シート部２２ｓや折り返し部２２ｕは、必ずしも上側糸ゴム２３ｕが配置された領域のみに配置されるものとは限らない。上側シート部２２ｓや折り返し部２２ｕは、少なくとも上側糸ゴム２３ｕを肌側から覆うものであればよく、図１９に示すように、上側糸ゴム２３ｕが腹側上側領域ＡＵに配置されている場合でも、上側シート部２２ｓ（折り返し部ｕ）を腹側上側部ＡＵと腹側中間部ＡＭに亘って設けるものであってもよい。同様に、上側糸ゴム２３ｕが腹側上側領域ＡＵに配置されている場合に、上側シート部２２ｓ（折り返し部ｕ）を腹側上側部ＡＵ、腹側中間部ＡＭ及び腹側コア側部ＡＣに亘って設けるものであってもよい。
【０１２１】
図２０に示すように、上側糸ゴム２３ｕを腹側上側部ＡＵと腹側中間部ＡＭに配置し、コア側糸ゴム２３ｃを腹側コア側部ＡＣに設ける構成であってもよい。このようにすることで、パンツ型状態のおむつ１において、非肌側からより視認しづらい上側糸ゴム２３ｕをより多く設けることになるため、腹側胴回り部２０が柔らかく着用者の肌に当接するという印象を与えやすくなる。また、折り返し部２２ｕと、上側シート部２２ｓの両方を備えるものであってもよい。
【０１２２】
図２１に示すように、上側糸ゴム２３ｕを腹側上側部ＡＵ、腹側中間部ＡＭ及び腹側コア側部ＡＣに配置してもよい。従来のように肌側シート２１と非肌側シート２２との間に糸ゴムを配置した場合よりもより多くの糸ゴムを配置することができるため、吸収性本体１０、特に吸収性コア１１Ａを着用者の肌によりフィットさせることができ、排泄物が漏れてしまう恐れを軽減させることができる。
【０１２３】
図２２に示すように、非肌側シート２２だけでなく、肌側シート２１も折り返し部を有していてもよい。このような構成とすることで、腹側胴回り部２０の上端部の剛性を向上させることができ、腹側胴回り部２０の上端部がまくれてしまう恐れを軽減させることができる。
【０１２４】
前述した本発明の実施形態には、以下の態様のパンツ型吸収性物品が含まれ、次の課題が解決される。
【０１２５】
パンツ型吸収性物品として、パンツ型使い捨ておむつが知られている。例えば、特許文献１には、腹側シート部材２、背側シート部材３、及び吸収性コア５を有するパンツ型の使い捨ておむつ１が開示されている。腹側シート部材２と背側シート部材３は、それぞれ幅方向に伸長可能な弾性部材７を備え、吸収性コア５の上端部５Ｗよりも上側にウエスト弾性部材７Ｗを配置しておむつのズレ落ちを防止している。
【０１２６】
しかし、特許文献１では、着用状態のパンツ型の使い捨ておむつ１のウエスト弾性部材７Ｗを視認しやすい状態となりやすい。そのため、特に腹部に丸みを帯びた乳幼児が着用した場合には、ウエスト弾性部材７Ｗが着用者の胴回りを過度に締め付けているような印象を与えやすくなってしまう恐れがあった。
【０１２７】
以下の態様のパンツ型吸収性物品は、上記のような従来の問題に鑑みてなされたものであって、その目的は、着用者の胴回りに柔らかくフィットさせている印象を与えやすいパンツ型吸収性物品を提供することにあり、前述した本発明の実施形態には、以下の態様のパンツ型吸収性物品も含まれる。
【０１２８】
＜態様１＞
上下方向、左右方向、及び前後方向を有し、
吸収性コアを備える吸収性本体及び一対の胴回り部を有し、
前記胴回り部は、肌側シート部、非肌側シート部、及び前記左右方向に伸縮可能な複数の糸ゴムを備え、
前記一対の胴回り部のうちの少なくとも一方の胴回り部は、前記上下方向において、前記吸収性本体より上側の上側部と、前記吸収性コアと前記前後方向において重なるコア側部を有し、
前記複数の糸ゴムは、前記上側部に配置された上側糸ゴムと、前記コア側部に配置されたコア側糸ゴムを有するパンツ型吸収性物品であって、
前記上側部は、前記肌側シート部より肌側に、上側シート部を有し、
前記前後方向において、
前記上側糸ゴムは、前記肌側シート部より肌側、且つ、前記上側シート部より非肌側に配置され、
前記コア側糸ゴムは、前記肌側シート部より非肌側、且つ、前記非肌側シート部より肌側に配置されていることを特徴とするパンツ型吸収性物品。
【０１２９】
態様１のパンツ型吸収性物品によれば、パンツ型吸収性物品を非肌側から見た際に、胴回り部の上側糸ゴムはコア側糸ゴムより視認しづらくなり、上側部が着用者の胴回りを柔らかくフィットさせるような印象を与えやすくなる。
【０１３０】
＜態様２＞
前記上側部は、前記肌側シート部と前記非肌側シート部を接合する接合部を有する、態様１に記載のパンツ型吸収性物品。
【０１３１】
態様２のパンツ型吸収性物品によれば、上側部の剛性をより高くすることができるため、糸ゴムの収縮によって上側部が上下方向にまくれてしまう恐れを軽減させることができる。
【０１３２】
＜態様３＞
前記胴回り部は、前記前後方向において前記吸収性本体と重なり、且つ、前記上下方向において前記吸収性コアより上側の中間部を有し、
前記複数の糸ゴムは、前記中間部に配置された中間糸ゴムを有している、態様１又は２に記載のパンツ型吸収性物品。
【０１３３】
態様３のパンツ型吸収性物品によれば、中間糸ゴムによって、中間部を着用者の身体にフィットさせやすくなる。
【０１３４】
＜態様４＞
前記中間糸ゴムが、前記肌側シート部より肌側、且つ、前記上側シート部より非肌側に配置されている、態様３に記載のパンツ型吸収性物品。
【０１３５】
このようなパンツ型吸収性物品によれば、パンツ型吸収性物品を非肌側から見た際に、胴回り部に設けられた糸ゴムのうち、より多くの糸ゴムを視認しづらくさせることができるため、胴回り部が着用者の胴回りに柔らかくフィットさせるような印象を与えやすくなる。
【０１３６】
＜態様５＞
前記中間糸ゴムが、前記肌側シート部より非肌側、且つ、前記非肌側シート部より肌側に配置されている、態様３に記載のパンツ型吸収性物品。
【０１３７】
態様５のパンツ型吸収性物品によれば、胴回り部のうち、吸収性本体と前後方向において重なる部分の糸ゴムを視認しやすくなるため、着用者に、吸収性本体が身体にフィットさせて、排泄物が漏れにくい構成であるという印象を与えやすくなる。
【０１３８】
＜態様６＞
前記中間糸ゴムが、
前記肌側シート部より肌側、且つ、前記上側シート部より非肌側と、
前記肌側シート部より非肌側、且つ、前記非肌側シート部より肌側に、それぞれ配置されている、態様３から５のいずれか１に記載のパンツ型吸収性物品。
【０１３９】
態様６のパンツ型吸収性物品によれば、中間部は、肌側シート部より肌側に配置された糸ゴムと、肌側シート部より非肌側に配置された糸ゴムによって、より着用者の肌にフィットさせることができるため、吸収性本体の上側から排泄物が漏れてしまう恐れを軽減させることができる。
【０１４０】
＜態様７＞
前記上側部を前記左右方向に単位長さだけ伸長させる力の大きさを前記上側部の前記上下方向の長さで除した値が、前記中間部を前記左右方向に単位長さだけ伸長させる力の大きさを前記中間部の前記上下方向の長さで除した値より小さい、態様３から６のいずれか１に記載のパンツ型吸収性物品。
【０１４１】
態様７のパンツ型吸収性物品によれば、上側部を着用者の肌に柔らかく当接させつつ、中間部を着用者の肌によりフィットさせることで、上端部によって着用者の肌に糸ゴムの跡が付いたりすることを防ぎつつ、吸収性本体から排泄物が漏れてしまう恐れを軽減させることができる。
【０１４２】
＜態様８＞
前記コア側部を前記左右方向に単位長さだけ伸長させる力の大きさを前記コア側部の前記上下方向の長さで除した値が、前記中間部を前記左右方向に単位長さだけ伸長させる力の大きさを前記中間部の前記上下方向の長さで除した値より小さい、態様３から７のいずれか１に記載のパンツ型吸収性物品。
【０１４３】
態様８のパンツ型吸収性物品によれば、コア側部よりも中間部をよりしっかり着用者の肌フィットさせることで、吸収性本体の上側から排泄物が漏れてしまう恐れをより軽減させることができる。
【０１４４】
＜態様９＞
前記上側部を前記左右方向に単位長さだけ伸長させる力の大きさを前記上側部の前記上下方向の長さで除した値が、前記コア側部を前記左右方向に単位長さだけ伸長させる力の大きさを前記コア側部の前記上下方向の長さで除した値より小さい、態様３から８のいずれか１に記載のパンツ型吸収性物品。
【０１４５】
態様９のパンツ型吸収性物品によれば、上側部を着用者の肌に柔らかく当接させつつ、コア側部を着用者の肌によりフィットさせることで、上端部によって着用者の肌に糸ゴムの跡が付いたりすることを防ぎつつ、吸収性コアから排泄物が漏れてしまう恐れを軽減させることができる。
【０１４６】
＜態様１０＞
前記上側シート部は、前記非肌側シート部の上側端部が肌側に折り返された部分であり、
前記上側シート部の下端が、前記吸収性本体の上端よりも下側に位置する、態様１から９のいずれか１に記載のパンツ型吸収性物品。
【０１４７】
態様１０のパンツ型吸収性物品によれば、吸収性本体の上端における剛性の差を緩和させることができるため、吸収性本体の上端を境に折れ曲がってしまう恐れを軽減させることができる。
【０１４８】
＜態様１１＞
前記一方の胴回り部は、前記肌側シート部と前記非肌側シート部を接合する接合部を有し、
前記接合部は、前記上下方向に沿った形状であり、
複数の前記接合部が、前記左右方向に間欠に配置されている、態様１から１０のいずれか１に記載のパンツ型吸収性物品。
【０１４９】
態様１１のパンツ型吸収性物品によれば、接合部によって胴回り部の上下方向の剛性を向上させることができるため、糸ゴムの収縮によって胴回り部が上下方向にたくれてしまう恐れを軽減させることができる。
【０１５０】
また、前述した本発明の実施形態には、以下の態様のパンツ型吸収性物品も含まれる。
＜態様１２＞
上下方向、左右方向、及び前後方向を有し、
吸収性コアを備える吸収性本体及び一対の胴回り部を有し、
前記胴回り部は、肌側シート部、非肌側シート部、及び前記左右方向に伸縮可能な複数の糸ゴムを備え、
前記一対の胴回り部のうちの少なくとも一方の胴回り部は、前記上下方向において、前記吸収性本体より上側の上側部と、前記吸収性コアと前記前後方向において重なるコア側部を有し、
前記複数の糸ゴムは、前記上側部に配置された上側糸ゴムと、前記コア側部に配置されたコア側糸ゴムを有するパンツ型吸収性物品であって、
前記上側部は、前記肌側シート部より肌側に、上側シート部を有し、
前記前後方向において、
前記上側糸ゴムは、前記肌側シート部より肌側、且つ、前記上側シート部より非肌側に配置され、
前記コア側糸ゴムは、前記肌側シート部より非肌側、且つ、前記非肌側シート部より肌側に配置されており、
前記一方の胴回り部は、前記前後方向において前記吸収性本体と重なり、且つ、前記上下方向において前記吸収性コアより上側の中間部を有し、
前記複数の糸ゴムは、前記中間部に配置された中間糸ゴムを有し、
前記中間糸ゴムは、前記左右方向において、前記一方の胴回り部の一端部から他端部まで連続して設けられていることを特徴とするパンツ型吸収性物品。
【０１５１】
態様１２のパンツ型吸収性物品によれば、パンツ型吸収性物品を非肌側から見た際に、胴回り部の上側糸ゴムはコア側糸ゴムより視認しづらくなり、上側部が着用者の胴回りを柔らかくフィットさせるような印象を与えやすくするとともに、中間糸ゴムによって中間部を着用者の肌により密着させやすくなり、吸収性本体を着用者の身体にフィットさせた状態とすることができる。
【０１５２】
＜態様１３＞
前記上側部は、前記肌側シート部と前記非肌側シート部を接合する接合部を有し、
前記接合部は、前記上下方向に沿っており、且つ、前記左右方向に間欠的に配置されている、態様１２に記載のパンツ型吸収性物品。
【０１５３】
態様１３のパンツ型吸収性物品によれば、接合部によって胴回り部の上下方向の剛性を向上させることができるため、糸ゴムの収縮によって胴回り部が上下方向にたくれてしまう恐れを軽減させることができる。
【０１５４】
＜態様１４＞
前記左右方向における前記接合部の長さは、隣接する二つの前記接合部の間の距離よりも短い、態様１３に記載のパンツ型吸収性物品。
【０１５５】
態様１４のパンツ型吸収性物品によれば、左右方向における接合部の長さが隣接する２つの接合部の間の距離より長い場合よりも、接合部によって上側部が硬くなりすぎてしまう恐れを軽減させることができる。
【０１５６】
＜態様１５＞
前記中間糸ゴムが、前記肌側シート部より肌側、且つ、前記上側シート部より非肌側に配置されている、態様１２から１４のいずれか１に記載のパンツ型吸収性物品。
【０１５７】
態様１５のパンツ型吸収性物品によれば、パンツ型吸収性物品を非肌側から見た際に、胴回り部に設けられた糸ゴムのうち、より多くの糸ゴムを視認しづらくさせることができるため、胴回り部が着用者の胴回りに柔らかくフィットさせるような印象を与えやすくなる。
【０１５８】
＜態様１６＞
前記中間糸ゴムが、前記肌側シート部より非肌側、且つ、前記非肌側シート部より肌側に配置されている、態様１２から１４のいずれか１に記載のパンツ型吸収性物品。
【０１５９】
態様１６のパンツ型吸収性物品によれば、胴回り部のうち、吸収性本体と前後方向において重なる部分の糸ゴムを視認しやすくなるため、着用者に、吸収性本体が身体にフィットさせて、排泄物が漏れにくい構成であるという印象を与えやすくなる。
【０１６０】
＜態様１７＞
前記中間糸ゴムが、
前記肌側シート部より肌側、且つ、前記上側シート部より非肌側と、
前記肌側シート部より非肌側、且つ、前記非肌側シート部より肌側に、それぞれ配置されている、態様１２から１４のいずれか１に記載のパンツ型吸収性物品。
【０１６１】
態様１７のパンツ型吸収性物品によれば、中間部は、肌側シート部より肌側に配置された糸ゴムと、肌側シート部より非肌側に配置された糸ゴムによって、より着用者の肌にフィットさせることができるため、吸収性本体の上側から排泄物が漏れてしまう恐れを軽減させることができる。
【０１６２】
＜態様１８＞
前記中間糸ゴムが、
前記肌側シート部より肌側、且つ、前記上側シート部より肌側及び前記吸収性本体より非肌側と、
前記肌側シート部より非肌側、且つ、前記非肌側シート部及び前記吸収性本体より非肌側に、それぞれ配置されている、態様１２から１７のいずれか１に記載のパンツ型吸収性物品。
【０１６３】
態様１８のパンツ型吸収性物品によれば、中間部は、肌側シート部より肌側に配置された糸ゴムと、肌側シート部より非肌側に配置された糸ゴムによって、より着用者の肌にフィットさせることができるため、吸収性本体の上側から排泄物が漏れてしまう恐れを軽減させることができる。
【０１６４】
＜態様１９＞
前記上側部を前記左右方向に単位長さだけ伸長させる力の大きさを前記上側部の前記上下方向の長さで除した値が、前記中間部を前記左右方向に単位長さだけ伸長させる力の大きさを前記中間部の前記上下方向の長さで除した値より小さい、態様１２から１８のいずれか１に記載のパンツ型吸収性物品。
【０１６５】
態様１９のパンツ型吸収性物品によれば、上側部を着用者の肌に柔らかく当接させつつ、中間部を着用者の肌によりフィットさせることで、上端部によって着用者の肌に糸ゴムの跡が付いたりすることを防ぎつつ、吸収性本体から排泄物が漏れてしまう恐れを軽減させることができる。
【０１６６】
＜態様２０＞
前記コア側部を前記左右方向に単位長さだけ伸長させる力の大きさを前記コア側部の前記上下方向の長さで除した値が、前記中間部を前記左右方向に単位長さだけ伸長させる力の大きさを前記中間部の前記上下方向の長さで除した値より小さい、態様１２から１９のいずれか１に記載のパンツ型吸収性物品。
【０１６７】
態様２０のパンツ型吸収性物品によれば、コア側部よりも中間部をよりしっかり着用者の肌フィットさせることで、吸収性本体の上側から排泄物が漏れてしまう恐れをより軽減させることができる。
【０１６８】
＜態様２１＞
前記上側部を前記左右方向に単位長さだけ伸長させる力の大きさを前記上側部の前記上下方向の長さで除した値が、前記コア側部を前記左右方向に単位長さだけ伸長させる力の大きさを前記コア側部の前記上下方向の長さで除した値より小さい、態様１２から２０のいずれか１に記載のパンツ型吸収性物品。
【０１６９】
態様２１のパンツ型吸収性物品によれば、上側部を着用者の肌に柔らかく当接させつつ、コア側部を着用者の肌によりフィットさせることで、上端部によって着用者の肌に糸ゴムの跡が付いたりすることを防ぎつつ、吸収性コアから排泄物が漏れてしまう恐れを軽減させることができる。
【０１７０】
＜態様２２＞
前記上側シート部は、前記非肌側シート部の上側端部が肌側に折り返された部分であり、
前記上側シート部の下端が、前記吸収性本体の上端よりも下側に位置する、態様１２から２１のいずれか１に記載のパンツ型吸収性物品。
【０１７１】
態様２２のパンツ型吸収性物品によれば、吸収性本体の上端における剛性の差を緩和させることができるため、吸収性本体の上端を境に折れ曲がってしまう恐れを軽減させることができる。
【０１７２】
＜態様２３＞
前記一方の胴回り部は、前記肌側シート部と前記非肌側シート部を接合する接合部を有し、
前記接合部は、前記上下方向に沿った形状であり、
複数の前記接合部が、前記左右方向に間欠に配置されている、態様１２から２２のいずれか１に記載のパンツ型吸収性物品。
【０１７３】
態様２３のパンツ型吸収性物品によれば、接合部によって胴回り部の上下方向の剛性を向上させることができるため、糸ゴムの収縮によって胴回り部が上下方向にたくれてしまう恐れを軽減させることができる。
【０１７４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１７５】
上記の実施形態では、パンツ型吸収性物品として、腹側胴回り部２０と背側胴回り部３０が分離され、腹側胴回り部２０と背側胴回り部３０と吸収性本体１０の３部材を有する所謂３ピースタイプのおむつを例示したがこれに限らない。例えば、腹側胴回り部２０と背側胴回り部３０が股下部を介して連続した一部材で形成されており、腹側胴回り部２０と背側胴回り部３０が一体化された外装部材と、吸収性本体の２部材を有する所謂２ピースタイプのおむつであってもよい。
【０１７６】
上述の実施形態においては、腹側胴回り部２０の糸ゴムが、上側糸ゴム２３ｕとコア側糸ゴム２３ｃを備える一方、背側胴回り部３０は従来の使い捨ておむつの構成のように肌側シート３１と非肌側シート３２との間に設けられた糸ゴム３３を備えるものとしたが、これに限られない。背側胴回り部３０が上側糸ゴムとコア側糸ゴムを備える構成であってもよいし、腹側胴回り部２０と背側胴回り部３０の両方が、上側糸ゴムとコア側糸ゴムを備える構成であってもよい。
【符号の説明】
【０１７７】
１  おむつ（パンツ型吸収性物品）、２  接合領域、
１０  吸収性本体、１１  吸収体、
１１Ａ  吸収性コア、１１Ｂ  コアラップシート、
１２  トップシート、１３  バックシート、
１４  外装シート、１５  脚回り弾性部材、
２０  腹側胴回り部（胴回り部）、
２１  肌側シート（肌側シート部）、２２  非肌側シート（非肌側シート部）、
２２ｕ  折り返し部、２２ｎ  非肌側シート部、２２ｓ  上側シート部、
２３  糸ゴム、
２３ｕ  肌側糸ゴム（上側糸ゴム）、２３ｃ  非肌側糸ゴム（コア側糸ゴム）、
２３ｔ  腹側上側糸ゴム（上側糸ゴム）、
２３ｍ  腹側中間糸ゴム（中間糸ゴム）、
２３ｄ  腹側コア側糸ゴム（コア側糸ゴム）、
２４  シート部材、
３０  背側胴回り部（胴回り部）、
３１  肌側シート、３２  非肌側シート、
３２ｕ  折り返し部、３２ｎ  非肌側シート部、
３３  糸ゴム、
３３ｔ  背側上側糸ゴム、３３ｍ  背側中間糸ゴム、３３ｄ  背側コア側糸ゴム、
３４  シート部材、
ＡＵ  腹側上側部（上側部）、
ＡＭ  腹側中間部（中間部）、
ＡＣ  腹側コア側部（コア側部）、
ＢＵ  背側上側部、
ＢＭ  背側中間部、
ＢＣ  背側コア側部、
Ｈ１０  接着部、
Ｈ２０  接着部（接合部）、
Ｈ２４  接着部、
Ｈ３４  接着部
【図１】
2019208480.tif 000003
【図２】
2019208480.tif 000004
【図３】
2019208480.tif 000005
【図４】
2019208480.tif 000006
【図５】
2019208480.tif 000007
【図６】
2019208480.tif 000008
【図７】
2019208480.tif 000009
【図８】
2019208480.tif 000010
【図９】
2019208480.tif 000011
【図１０】
2019208480.tif 000012
【図１１】
2019208480.tif 000013
【図１２】
2019208480.tif 000014
【図１３】
2019208480.tif 000015
【図１４】
2019208480.tif 000016
【図１５】
2019208480.tif 000017
【図１６】
2019208480.tif 000018
【図１７】
2019208480.tif 000019
【図１８】
2019208480.tif 000020
【図１９】
2019208480.tif 000021
【図２０】
2019208480.tif 000022
【図２１】
2019208480.tif 000023
【図２２】
2019208480.tif 000024
【国際調査報告】
2019208480.tif 000025
2019208480.tif 000026
2019208480.tif 000027
2019208480.tif 000028